(57)【要約】  １つの態様は、少なくとも１つのプロセッサと、コンピュータプログラムコードを含む少なくとも１つのメモリとを備えた装置であって、少なくとも１つのメモリ及びコンピュータプログラムコードが、少なくとも１つのプロセッサと共に、装置に少なくとも、所与のサービスを提供するセルの不在を検出することと、検出に基づいて、所与のサービスを提供するアドホックセルとして動作するための構成を行うことと、構成に関連して、所与のサービスのためのバックホール接続の構築を引き起こすことと、を行わせるように構成された装置である。【選択図】図５Ａ
2018515030.tif 000002
【特許請求の範囲】
【請求項１】
少なくとも１つのプロセッサと、
コンピュータプログラムコードを含む少なくとも１つのメモリと、
を備えた装置であって、前記少なくとも１つのメモリ及び前記コンピュータプログラムコードは、前記少なくとも１つのプロセッサと共に、前記装置に少なくとも、
所与のサービスを提供するセルの不在を検出することと、
前記検出に基づいて、前記所与のサービスを提供するアドホックセルとして動作するための構成を行うことと、
前記構成に関連して、前記所与のサービスのためのバックホール接続の構築を引き起こすことと、
を行わせるように構成される、
ことを特徴とする装置。
【請求項２】
前記バックホール接続の前記構築を引き起こすことは、セルラー通信を使用することによって、或いは前記アドホックセルにユーザ装置としてアクセスしてバックホール接続を提供するようにサービスユニットに要求することによって行われる、
請求項１に記載の装置。
【請求項３】
前記サービスユニットは、ローカルエリアサービスのための通信を容易にする装置である、
請求項２に記載の装置。
【請求項４】
前記構成は、該構成を行うためのコマンドをセルラーネットワークから受け取ることを含み、或いは前記構成は、サービスベースの自己構成として行われる、
請求項１から３のいずれか１項に記載の装置。
【請求項５】
前記セルラーネットワークを介して前記アドホックセルにアクセスするユーザ装置に、前記所与のサービスに加えてセルラーサービスを提供することを前記装置に行わせることをさらに含む、
請求項１から４のいずれか１項に記載の装置。
【請求項６】
前記セルラーサービスを提供できるように、前記セルラーネットワークに関するアドホックセル全体のタイミングアドバンス情報を取得することを前記装置に行わせることをさらに含む、
請求項５に記載の装置。
【請求項７】
前記アドホックセルにユーザ装置としてアクセスして前記バックホール接続を提供するように前記サービスユニットに要求することは、ブロードキャストされるシステム情報又はデバイス間通信メッセージに埋め込まれたページングメッセージにおいてバックホール接続要求を送信することをさらに含む、
請求項２から６のいずれか１項に記載の装置。
【請求項８】
前記装置は、セルラー通信能力を有するユーザ装置を含み、又は該ユーザ装置内に配置される、
請求項１から７のいずれか１項に記載の装置。
【請求項９】
少なくとも１つのプロセッサと、
コンピュータプログラムコードを含む少なくとも１つのメモリと、
を備えた装置であって、前記少なくとも１つのメモリ及び前記コンピュータプログラムコードは、前記少なくとも１つのプロセッサと共に、前記装置に少なくとも、
アドホックセルノードによって提供されるサービスに関して切断状態にある間に、前記アドホックセルノードからのバックホール接続要求をサービスユニットによって受け取ることと、
前記要求への応答として、前記アドホックセルにユーザ装置としてアクセスしてアクセス接続を提供することと、
前記アクセス接続と、前記サービスユニットとして動作できるように構築されたバックホール接続とを使用することによって、前記アドホックセルノードにバックホール接続を提供することと、
を行わせるように構成される、
ことを特徴とする装置。
【請求項１０】
前記バックホール接続は、セルラーネットワークのコアネットワークへの接続を使用することによって、或いはサービスサーバへのインターネットプロトコル接続又はサービスサーバへのローカルネットワーク接続として提供される、
請求項９に記載の装置。
【請求項１１】
ブロードキャストされるシステム情報又はデバイス間通信メッセージに埋め込まれたページングメッセージにおいて前記バックホール接続要求を受け取ることを前記装置に行わせることをさらに含む、
請求項９又は１０に記載の装置。
【請求項１２】
前記セルラーネットワークに関するアドホックセル全体のタイミングアドバンス情報を取得することと、
前記アドホックセル全体のタイミングアドバンス情報を前記アドホックセルに提供することと、
を前記装置に行わせることをさらに含む、
請求項９から１１のいずれか１項に記載の装置。
【請求項１３】
前記アドホックセルにユーザ装置としてアクセスすることは、
前記アドホックセルにアクセス要求を送信することと、
前記アドホックセルからアクセス要求応答を受け取ることと、
をさらに含む、
請求項９から１２のいずれか１項に記載の装置。
【請求項１４】
前記アドホックセルにユーザ装置としてアクセスすることは、サービスに基づいて認証され認可されるように原因及びアイデンティティを示すことをさらに含む、
請求項９から１３のいずれか１項に記載の装置。
【請求項１５】
所与のサービスを提供するセルの不在を検出するステップと、
前記検出に基づいて、前記所与のサービスを提供するアドホックセルとして動作するための構成を行うステップと、
前記構成に関連して、前記所与のサービスのためのバックホール接続の構築を引き起こすステップと、
を含むことを特徴とする方法。
【請求項１６】
前記バックホール接続の前記構築を引き起こすステップは、セルラー通信を使用することによって、或いは前記アドホックセルにユーザ装置としてアクセスしてバックホール接続を提供するようにサービスユニットに要求することによって行われる、
請求項１５に記載の方法。
【請求項１７】
前記サービスユニットは、ローカルエリアサービスのための通信を容易にする装置である、
請求項１６記載の方法。
【請求項１８】
前記構成は、該構成を行うためのコマンドをセルラーネットワークから受け取ることを含み、或いは前記構成は、サービスベースの自己構成として行われる、
請求項１５から１７のいずれか１項に記載の方法。
【請求項１９】
前記セルラーネットワークを介して前記アドホックセルにアクセスするユーザ装置に、前記所与のサービスに加えてセルラーサービスを提供するステップをさらに含む、
請求項１５から１８のいずれか１項に記載の方法。
【請求項２０】
前記セルラーサービスを提供できるように、前記セルラーネットワークに関するアドホックセル全体のタイミングアドバンス情報を取得するステップをさらに含む、
請求項１９に記載の方法。
【請求項２１】
前記アドホックセルにユーザ装置としてアクセスして前記バックホール接続を提供するように前記サービスユニットに要求することは、ブロードキャストされるシステム情報又はデバイス間通信メッセージに埋め込まれたページングメッセージにおいてバックホール接続要求を送信することをさらに含む、
請求項１５から２０のいずれか１項に記載の方法。
【請求項２２】
アドホックセルノードによって提供されるサービスに関して切断状態にある間に、前記アドホックセルノードからのバックホール接続要求をサービスユニットによって受け取るステップと、
前記要求への応答として、前記アドホックセルにユーザ装置としてアクセスしてアクセス接続を提供するステップと、
前記サービスユニットとして動作できるように構築されたバックホール接続を使用することによって、前記アドホックセルノードにバックホール接続を提供するステップと、
を含むことを特徴とする方法。
【請求項２３】
前記バックホール接続は、セルラーネットワークのコアネットワークへの接続を使用することによって、或いはサービスサーバへのインターネットプロトコル接続又はサービスサーバへのローカルネットワーク接続として提供される、
請求項２２に記載の方法。
【請求項２４】
ブロードキャストされるシステム情報又はデバイス間通信メッセージに埋め込まれたページングメッセージにおいて前記バックホール接続要求を受け取ることを前記装置に行わせるステップをさらに含む、
請求項２２又は２３に記載の方法。
【請求項２５】
前記セルラーネットワークに関するアドホックセル全体のタイミングアドバンス情報を取得するステップと、
前記アドホックセル全体のタイミングアドバンス情報を前記アドホックセルに提供するステップと、
をさらに含む請求項２２から２４のいずれか１項に記載の方法。
【請求項２６】
前記アドホックセルにユーザ装置としてアクセスする前記ステップは、
前記アドホックセルにアクセス要求を送信するステップと、
前記アドホックセルからアクセス要求応答を受け取るステップと、
をさらに含む、請求項２２から２５のいずれか１項に記載の方法。
【請求項２７】
前記アドホックセルにユーザ装置としてアクセスする前記ステップは、サービスに基づいて認証され認可されるように原因及びアイデンティティを示すステップをさらに含む、
請求項２２から２６のいずれか１項に記載の方法。
【請求項２８】
請求項１５から２７のいずれか１項に記載の方法を実行する手段を備える、
ことを特徴とする装置。
【請求項２９】
コンピュータによって読み取り可能な配布媒体上に具体化されたコンピュータプログラ製品であって、装置内にロードされた時に請求項１５から２７のいずれか１項に記載の方法を実行するプログラム命令を含む、
ことを特徴とするコンピュータプログラム製品。
【請求項３０】
非一時的コンピュータ可読媒体上に具体化されたコンピュータプログラムであって、
所与のサービスを提供するセルの不在を検出するステップと、
前記検出に基づいて、前記所与のサービスを提供するアドホックセルとして動作するための構成を行うステップと、
前記構成に関連して、前記所与のサービスのためのバックホール接続の構築を引き起こすステップと、
を含む処理の実行を制御するためのプログラムコード部分を含む、
ことを特徴とするコンピュータプログラム。
【請求項３１】
非一時的コンピュータ可読媒体上に具体化されたコンピュータプログラムであって、
アドホックセルノードによって提供されるサービスに関して切断状態にある間に、前記アドホックセルノードからのバックホール接続要求をサービスユニットによって受け取るステップと、
前記要求への応答として、前記アドホックセルにユーザ装置としてアクセスしてアクセス接続を提供するステップと、
前記サービスユニットとして動作できるように構築されたバックホール接続を使用することによって、前記アドホックセルノードにバックホール接続を提供するステップと、
を含む処理の実行を制御するためのプログラムコード部分を含む、
ことを特徴とするコンピュータプログラム。
【発明の詳細な説明】
【技術分野】
【０００１】
本発明は、通信に関する。
【背景技術】
【０００２】
モデム通信ネットワーク、とりわけ無線通信ネットワークは、常に開発が進められている。無線通信の新たな使用法及び応用も計画されている。検討中の１つの製品は、車両と車両内のモバイル端末とが道路脇に配置された通信ノードをできる限り利用してネットワークと通信する車両通信システムである。
【発明の概要】
【課題を解決するための手段】
【０００３】
１つの態様によれば、少なくとも１つのプロセッサと、コンピュータプログラムコードを含む少なくとも１つのメモリとを備えた装置であって、少なくとも１つのメモリ及びコンピュータプログラムコードが、少なくとも１つのプロセッサと共に、装置に少なくとも、所与のサービスを提供するセルの不在を検出することと、この検出に基づいて、所与のサービスを提供するアドホックセルとして動作するための構成を行うことと、この構成に関連して、所与のサービスのためのバックホール接続の構築を引き起こすことと、を行わせるように構成された、装置が提供される。
【０００４】
別の態様によれば、少なくとも１つのプロセッサと、コンピュータプログラムコードを含む少なくとも１つのメモリとを備えた装置であって、少なくとも１つのメモリ及びコンピュータプログラムコードは、少なくとも１つのプロセッサと共に、装置に少なくとも、アドホックセルノードによって提供されるサービスに関して切断状態にある間に、アドホックセルノードからのバックホール接続要求をサービスユニットによって受け取ることと、要求への応答として、アドホックセルにユーザ装置としてアクセスしてアクセス接続を提供することと、アクセス接続と、サービスユニットとして動作できるように構築されたバックホール接続とを使用することによって、アドホックセルノードにバックホール接続を提供することと、を行わせるように構成された、装置が提供される。
【０００５】
別の態様によれば、所与のサービスを提供するセルの不在を検出するステップと、この検出に基づいて、所与のサービスを提供するアドホックセルとして動作するための構成を行うステップと、この構成に関連して、所与のサービスのためのバックホール接続の構築を引き起こすステップと、を含む方法が提供される。
【０００６】
別の態様によれば、アドホックセルノードによって提供されるサービスに関して切断状態にある間に、アドホックセルノードからのバックホール接続要求をサービスユニットによって受け取るステップと、要求への応答として、アドホックセルにユーザ装置としてアクセスしてアクセス接続を提供するステップと、サービスユニットとして動作できるように構築されたバックホール接続を使用することによって、アドホックセルノードにバックホール接続を提供するステップと、を含む方法が提供される。
【０００７】
別の態様によれば、非一時的コンピュータ可読媒体上に具体化されたコンピュータプログラムであって、所与のサービスを提供するセルの不在を検出するステップと、この検出に基づいて、所与のサービスを提供するアドホックセルとして動作するための構成を行うステップと、この構成に関連して、所与のサービスのためのバックホール接続の構築を引き起こすステップと、を含む処理の実行を制御するためのプログラムコード部分を含む、コンピュータプログラムが提供される。
【０００８】
別の態様によれば、非一時的コンピュータ可読媒体上に具体化されたコンピュータプログラムであって、アドホックセルノードによって提供されるサービスに関して切断状態にある間に、アドホックセルノードからのバックホール接続要求をサービスユニットによって受け取るステップと、要求への応答として、アドホックセルにユーザ装置としてアクセスしてアクセス接続を提供するステップと、サービスユニットとして動作できるように構築されたバックホール接続を使用することによって、アドホックセルノードにバックホール接続を提供するステップと、を含む処理の実行を制御するためのプログラムコード部分を含む、コンピュータプログラムが提供される。
【０００９】
以下の添付図面及び説明では、１又は２以上の実装例をさらに詳細に示す。説明、図面及び特許請求の範囲からは、その他の特徴も明らかになるであろう。
【００１０】
以下、添付図面を参照しながら、好ましい実施形態を用いて本発明をさらに詳細に説明する。
【図面の簡単な説明】
【００１１】
【図１】通信環境の例を示す図である。
【図２】本発明の実施形態を適用する例示的な装置を示す図である。
【図３】本発明の実施形態を適用する例示的な装置を示す図である。
【図４】本発明の実施形態を適用する例示的な装置を示す図である。
【図５Ａ】本発明の実施形態を示すフローチャートである。
【図５Ｂ】本発明の実施形態を示すフローチャートである。
【図６】いくつかの実施形態の例を示すシグナリングチャートである。
【図７】いくつかの実施形態の例を示すシグナリングチャートである。
【発明を実施するための形態】
【００１２】
以下の実施形態は一例にすぎない。本明細書では、複数の箇所において「ある（ａｎ）」、「１つの（ｏｎｅ）」又は「いくつかの（ｓｏｍｅ）」実施形態について言及することがあるが、このような各言及は、必ずしも同じ（単複の）実施形態に対するものでも、或いは特徴が単一の実施形態にしか当てはまらないことを意味するものでもない。異なる実施形態の単一の特徴を組み合わせて他の実施形態を提供することもできる。さらに、「備える」、「含む」（ｃｏｍｐｒｉｓｉｎｇ、ｉｎｃｌｕｄｉｎｇ）という単語は、説明する実施形態を言及した特徴のみで構成されるものとして限定するものではないと理解すべきであり、このような実施形態は、具体的に言及していない特徴、構造、ユニット、モジュールなどを含むこともできる。
【００１３】
実施形態は、あらゆるアクセスノード、基地局、ユーザ端末（ＵＴ）、ユーザ装置（ＵＥ）、ユーザデバイス又は対応するコンポーネント、及び／又はあらゆる通信システム、或いは必要な機能をサポートする異なる通信システムのあらゆる組み合わせに適用することができる。
【００１４】
特に無線通信では、使用されるプロトコル、通信システム、サーバ及びユーザ端末の仕様が急速に発展する。このような発展により、実施形態をさらに変更する必要が生じることもある。従って、全ての単語及び表現は広義に解釈すべきであり、これらは実施形態を限定するのではなく例示するように意図される。
【００１５】
通信システムで使用する無線プロトコルには、多くの異なるものがある。異なる通信システムのいくつかの例には、ユニバーサルモバイル電気通信システム（ＵＭＴＳ）無線アクセスネットワーク（ＵＴＲＡＮ又はＥ−ＵＴＲＡＮ）、ロングタームエボリューション（ＬＴＥ（登録商標）、Ｅ−ＵＴＲＡとしても知られている）、ロングタームエボリューション・アドバンスト（ＬＴＥ−Ａ（登録商標））、ＩＥＥＥ  ８０２．１１標準に基づく無線ローカルエリアネットワーク（ＷＬＡＮ）、ワールドワイド・インターオペラビリティ・フォー・マイクロウェーブ・アクセス（ＷｉＭＡＸ）、Ｂｌｕｅｔｏｏｔｈ（登録商標）、パーソナル通信サービス（ＰＣＳ）、及び超広帯域（ＵＷＢ）技術を用いたシステムがある。ＩＥＥＥは、電気電子技術者協会を示す。ＬＴＥ及びＬＴＥ−Ａは、第３世代パートナーシッププロジェクト３ＧＰＰによって開発されたものである。
【００１６】
本明細書で説明する様々な技術は、サイバーフィジカルシステム（ＣＰＳ）（物理エンティティを制御する協調計算要素のシステム）に適用することもできる。ＣＰＳは、異なる場所の物理的対象に埋め込んだ膨大な量の相互接続されたＩＣＴデバイス（センサ、アクチュエータ、プロセッサ、マイクロコントローラなど）の実装及び活用を可能にすることができる。対象の物理システムが固有の移動性を有するモバイルサイバーフィジカルシステムは、サイバーフィジカルシステムのサブカテゴリである。モバイルフィジカルシステムの例としては、移動ロボット工学、及び人間又は動物によって運ばれる電子機器が挙げられる。
【００１７】
以下、実施形態を適用できるアクセスアーキテクチャの例として、ロングタームエボリューション・アドバンスト（ＬＴＥ  Ａｄｖａｎｃｅｄ，ＬＴＥ−Ａ）に基づく無線アクセスアーキテクチャを用いて異なる例示的な実施形態を説明する。しかしながら、これらの実施形態は、一例として示すシステムに限定されるものではなく、当業者であれば、このソリューションを、必要な特性を備えた他の通信システムに適用することもできる。好適な通信システムの別の例は５Ｇコンセプトである。５Ｇのネットワークアーキテクチャは、ＬＴＥ−Ａｄｖａｎｃｅｄのものに極めて類似すると想定される。５Ｇは、多入力多出力（ＭＩＭＯ）アンテナ、より小さな局と協働するマクロサイトを含むＬＴＥよりもはるかに多くの基地局又はノード（いわゆるスモールセルコンセプト）を使用し、恐らくはより良好なカバレッジ及びデータレート向上のための様々な無線技術も利用する可能性が高い。５Ｇは、それぞれが特定のユースケース及び／又はスペクトルに合わせて最適化された複数の無線アクセス技術（ＲＡＴ）で構成される可能性が高い。将来的なネットワークは、動作可能に接続又は結合してサービスを提供できる「ビルディングブロック」又はエンティティにネットワークノード機能を仮想化することを提案するネットワークアーキテクチャコンセプトであるネットワーク機能仮想化（ＮＦＶ）を利用する可能性が非常に高いと理解されたい。仮想化ネットワーク機能（ＶＮＦ）は、カスタマイズされたハードウェアではなく標準タイプ又は汎用タイプのサーバを用いてコンピュータプログラムコードを実行する１又は２以上の仮想マシンを含むことができる。クラウドコンピューティング又はデータストレージを利用することもできる。無線通信では、このことが、リモート無線ヘッドに動作可能に結合されたサーバ、ホスト又はノードにおいて少なくとも部分的にノード動作が実行されることを意味することができる。複数のサーバ、ノード又はホスト間にノード動作を分散させることもできる。コアネットワーク動作と基地局動作との間における作業の分散は、ＬＴＥのものとは異なることも、又は存在しないこともあると理解されたい。使用される可能性の高い他のいくつか技術進歩には、ネットワークの構築及び管理方法を変化させる可能性があるソフトウェア定義型ネットワーキング（ＳＤＮ）、ビッグデータ及びオールＩＰがある。
【００１８】
図１は、一部の要素及び機能エンティティのみを示す通信環境例の簡略図であるが、これらは全て論理ユニットであり、その実装は図示のものと異なる場合もある。図１に示す接続は論理接続であり、実際の物理接続は異なる場合もある。当業者には、このシステムが他の機能及び構造を含むこともできることが明らかであろう。なお、通信において又は通信のために使用される機能、構造、要素及びプロトコルは、実際の発明とは無関係であると理解されたい。従って、ここではこれらについてさらに詳細に説明する必要はない。
【００１９】
図１の例には、ロングタームエボリューションアドバンスト（ＬＴＥアドバンスト、ＬＴＥ−Ａ）ネットワーク要素に基づくセルラー無線システムを示す。しかしながら、これらの例で説明する実施形態は、ＬＴＥ−Ａベースの無線システムに限定されるものではなく、他の無線システムに実装することもできる。
【００２０】
図１には、セルラーシステムのコアネットワークＣＮ１０４に接続されたｅＮｏｄｅＢ１０２を含むセルラーシステム１００の例を示す。
【００２１】
セルラーシステムの基地局と呼ぶこともできるｅＮｏｄｅＢ１０２は、無線ベアラ制御、無線アドミッション制御、接続モビリティ制御、動的リソース割り当て（スケジューリング）といった、無線リソース管理のための機能をホストすることができる。システムにもよるが、ＣＮ側では、サービングゲートウェイ（Ｓ−ＧＷ、ユーザデータパケットのルーティング及び転送）、パケットデータネットワークゲートウェイ（Ｐ−ＧＷ、外部パケットデータネットワークへのユーザ装置（ＵＥ）の接続性を提供）がこれに対応することができる。セルラーシステム１００は、モバイル管理エンティティＭＭＥ１０６を含むこともできる。ＭＭＥは、ユーザ端末をネットワークに接続できるｅＮｏｄｅＢの支援を受けて、モビリティ、セッション／呼及び状態の管理における全体的なユーザ端末の制御を担う。
【００２２】
このセルラーシステムは、公衆交換電話網又はインターネット１０８などの他のネットワークと通信することもできる。通信ネットワークは、クラウドサービスの使用をサポートすることもできる。なお、ｅＮｏｄｅＢ又はその機能は、いずれかのノード、ホスト、サーバ又はアクセスポイントなどの、このような使用に適したエンティティを用いて実装することができると理解されたい。
【００２３】
セルラーシステムの開発では、高速で信頼性の高い車両間（Ｖ２Ｖ）通信が主要分野の１つとされてきた。車両通信は、異なる特徴及び要件を含む幅広い応用及びサービスを可能にすると期待されている。応用例としては、安全関連用途が挙げられる。これらのサービスは、例えば交通情報、交通効率、アクティブな交通安全、又は付近の関心地点通知に関連することができる。
【００２４】
図１には、Ｖ２Ｖ通信及び路車間（Ｖ２Ｉ）通信をサポートするシステムの実現例を示す。図１の幹線道路のシナリオ例では、システムが、それぞれが幹線道路１２８を取り囲む所与のカバレッジ範囲１１８〜１２４を有する一連の道路脇ユニットＲＳＵ１１０〜１１６を含む。道路上には、Ｖ２Ｖ／Ｖ２Ｉサービスを容易にする複数の一体型通信デバイスを有する移動車両１３０が存在する。また、乗客は、通常のセルラーサービス用のデバイスを有することもできる。道路脇ユニットＲＳＵは、Ｖ２Ｖ／Ｖ２Ｉ通信をサポートするように道路に沿って配置することができる。ある実施形態では、ＲＳＵを、Ｖ２Ｖ／Ｖ２Ｉ通信システムの統合部分と見なすことができる。ＲＳＵは、カバレッジ範囲内におけるローカルエリアサービスの通信を容易にするサービスユニットと見なすことができる。Ｖ２Ｖ／Ｖ２Ｉ通信の実施形態例では、ＲＳＵを、無線ＬＡＮアクセスポイントとして機能してセルラーシステム１００などのインフラとの通信を可能にするように構成することができる。移動車両上のデバイスは、Ｖ２Ｖ／Ｖ２Ｉ通信のために、ＲＳＵによって提供される無線ＬＡＮセルにアクセスすることができる。ＲＳＵ１１０〜１１６は、有線接続又は無線接続１２６のいずれかを用いてセルラーシステム１００に接続することができる。これとは別に、又はこれに加えて、ＲＳＵ１１０〜１１６は、インターネットへの直接有線接続又は直接無線接続１３２を含むこともできる。この接続は、インターネットプロトコル接続とすることができる。
【００２５】
図２に、移動車両１３０の例を示す。この車両は、Ｖ２Ｖ／Ｖ２Ｉサービスを利用する一連の一体型通信装置２００と、乗客の一連のユーザ装置２０２、２０４とを含むことができる。
【００２６】
図３には、ユーザ装置２０２、又は一体型通信装置２００、或いはこのような装置の一部とすることができる装置の簡易例を示す。
【００２７】
通常、ユーザデバイスは、加入者識別モジュール（ＳＩＭ）を使用して又は使用せずに動作する無線モバイル通信デバイスを含むポータブルコンピュータデバイスを意味し、以下に限定するわけではないが、移動局（携帯電話機）、スマートフォン、携帯情報端末（ＰＤＡ）、ハンドセット、無線モデムを使用するデバイス（警報又は測定デバイスなど）、ラップトップ及び／又はタッチ画面式コンピュータ、タブレット、ゲーム機、ノートブック及びマルチメディアデバイスといったタイプのデバイスを含む。ユーザデバイスは、画像又はビデオクリップをネットワークにロードするカメラ又はビデオカメラを例とするほぼ排他的なアップリンク専用デバイスとすることもできると理解されたい。ユーザデバイスは、人間同士の又は人間とコンピュータとの間の相互作用を必要とすることなくネットワークを介してデータを転送する能力を物体に与えたシナリオであるモノのインターネット（ＩｏＴ）ネットワークにおいて動作する能力を有するデバイスとすることもできる。
【００２８】
本明細書では、いくつかの実施形態の説明例として装置を示していると理解されたい。当業者には、装置が他の機能及び／又は構造を含むこともでき、説明する全ての機能及び構造が必要なわけではないことも明らかである。１つのエンティティとして装置を示しているが、１又は２以上の物理又は論理エンティティに異なるモジュール及びメモリを実装することもできる。
【００２９】
この例の装置は、装置の動作の少なくとも一部を制御するように構成された制御回路３００を含む。制御回路３００は、以下で図５Ａに関連して説明する実施形態などの１又は２以上のアプリケーションを実行するように構成される。
【００３０】
装置は、データ又はアプリケーションを記憶するためのメモリ３０２を含むことができる。さらに、メモリは、制御回路３００が実行できるソフトウェア３０４を記憶することができる。メモリは、制御回路に一体化することもできる。メモリ又はメモリユニットは、少なくとも部分的に取り外し可能とすることができ、及び／又は装置に取り外し可能に動作可能に結合することができる。メモリは、現在の技術環境に適したあらゆるタイプのものとすることができ、半導体ベースの技術、フラッシュメモリ、磁気及び／又は光学メモリデバイスなどのあらゆる好適なデータストレージ技術を用いて実装することができる。メモリは、外部メモリであっても、又は内部メモリであってもよいと理解されたい。
【００３１】
装置は、少なくとも１つのトランシーバ３０６を含む。トランシーバは、制御回路３００に動作可能に接続される。トランシーバは、１つ又はそれ以上のアンテナ要素又はアンテナを含むアンテナ配列３０８に接続することができる。装置は、セルラー通信のためのトランシーバと、無線ローカルエリアネットワーク通信のためのトランシーバとを含むことができる。装置は、例えばＢｌｕｅｔｏｏｔｈ（登録商標）トランシーバなどのさらなるトランシーバを含むこともできる。
【００３２】
ソフトウェア３０４は、装置の制御回路３００にトランシーバ３０６を制御させるように適合されたプログラムコード手段を含むコンピュータプログラムを含むことができる。
【００３３】
装置は、制御回路３００に動作可能に接続されたユーザインターフェイス３０８をさらに含むことができる。インターフェイスは、例えば、（タッチセンサ式）ディスプレイ、キーパッド、マイク及びスピーカを含むことができる。このことは、特にユーザ装置２０２に当てはまるが、一体型通信装置２００もユーザインターフェイスを有することができる。
【００３４】
装置の別の例は、所与のサービスを提供するセルの不在を検出する手段（３００、３０６）と、所与のサービスを提供するアドホックセルとして動作するように構成を行う手段（３００、３０６）と、所与のサービスのためのバックホール接続の構築を引き起こす手段（３００、３０６）とを含む装置である。
【００３５】
図４に、道路脇ユニット又はその一部とすることができる装置の簡易例を示す。
【００３６】
本明細書では、いくつかの実施形態の説明例として装置を示していると理解されたい。当業者には、装置が他の機能及び／又は構造を含むこともでき、説明する全ての機能及び構造が必要なわけではないことも明らかである。１つのエンティティとして装置を示しているが、１又は２以上の物理又は論理エンティティに異なるモジュール及びメモリを実装することもできる。
【００３７】
この例の装置は、装置の動作の少なくとも一部を制御するように構成された制御回路４００を含む。制御回路４００は、以下で図５Ｂに関連して説明する実施形態などの１又は２以上のアプリケーションを実行するように構成される。
【００３８】
装置は、データ又はアプリケーションを記憶するためのメモリ４０２を含むことができる。さらに、メモリは、制御回路４００が実行できるソフトウェア４０４を記憶することができる。メモリは、制御回路に一体化することもできる。メモリ又はメモリユニットは、少なくとも部分的に取り外し可能とすることができ、及び／又は装置に取り外し可能に動作可能に結合することができる。メモリは、現在の技術環境に適したあらゆるタイプのものとすることができ、半導体ベースの技術、フラッシュメモリ、磁気及び／又は光学メモリデバイスなどのあらゆる好適なデータストレージ技術を用いて実装することができる。メモリは、外部メモリであっても、又は内部メモリであってもよいと理解されたい。
【００３９】
装置は、少なくとも１つのトランシーバ４０６を含むことができる。トランシーバは、制御回路４００に動作可能に接続される。トランシーバは、１つ又はそれ以上のアンテナ要素又はアンテナを含むアンテナ配列４０８に接続することができる。装置は、例えば、セルラー通信のためのトランシーバと、無線ローカルエリアネットワーク通信のためのトランシーバとを含むことができる。
【００４０】
装置は、装置を他のデバイス及びセルラーシステム１００のネットワーク要素に接続するように構成されたインターフェイス回路４０８をさらに含むことができる。インターフェイスは、セルラーシステムへの有線接続又は無線接続を提供することができる。装置は、コアネットワーク要素、ｅＮｏｄｅＢ、及びシステム１００の他のそれぞれの装置に接続することができる。
【００４１】
ソフトウェア４０４は、装置の制御回路４００にトランシーバ４０６及びインターフェイス回路４０８を制御させるように適合されたプログラムコード手段を含むコンピュータプログラムを含むことができる。
【００４２】
装置の別の例は、アドホックセルノードによって提供されるサービスに関して切断状態にある間にアドホックセルノードからバックホール接続要求を受け取る手段（４００、４０６）と、アドホックセルにユーザ装置としてアクセスする手段（４００、４０６）と、サービスユニットとして動作できるように構築されたバックホール接続を使用することによってアドホックセルノードにバックホール接続を提供する手段（４００、４０６）とを含む装置である。
【００４３】
通常、道路及び幹線道路上の車両は高速で移動している。ＲＳＵ（道路脇ユニット）によって形成される無線ＬＡＮ（ローカルエリアネットワーク）セルの制限されたカバレッジを考慮すると、移動車両のデバイスへのサービス提供時には、異なるＲＳＵ間における頻繁な切り替えが不可避である。これにより、車両通信システムの設計が複雑になり、及び／又はシステム／サービス性能に影響が及ぶこともある。従って、車両通信システムにとっては、ネットワークとデバイスの両方の観点から実装が単純であってモビリティ管理に対する制御オーバーヘッドが少ない何らかの種類の移動アドホックネットワークが好ましい。
【００４４】
一方で、スペクトル及びエネルギー効率の観点からすれば、ＲＳＵを、道路上の車の交通量に応じてオン／オフが切り替わるように動的に構成することができる。しかしながら、たとえ夜中などの道路上の車の交通量が少ない場合であっても、例えばオートパイロットに起因して、及び／又は車の乗客がユーザ装置２０２、２０４を用いて帯域幅を大幅に消費する娯楽サービスを使用中であることによって、車がほとんど存在しない地域の通信需要が依然として高い場合もある。車と共に移動中の高ローカルトラフィック需要に応えるには、ローカルサービスに関与するデバイス間で構成されたアドホックムービングセルが、道路上の少ない車の交通の高モビリティに対処するための良い方法になると思われる。
【００４５】
ある実施形態では、オーバーレイセルラーネットワークと同じ無線アクセス技術を使用するサービスベースのアドホックセルをオンザフライで作動又は停止させることができる。これらのサービスニーズ及びＲＳＵの動作を考慮して、このようなアドホックセルを設定するためのスマートトリガを含む動的構成、及び自己バックホーリングのための方法を提案する。
【００４６】
図５Ａは、サービスベースのアドホックセルを構成して動作させるのに適した実施形態を示すフローチャートである。図５Ａの例には、ユーザ装置の動作例を示す。
【００４７】
ステップ５０２において、所与のサービスを提供するセルの不在を検出する。
【００４８】
例えば、（Ｖ２Ｘサービス（Ｘは、とりわけ車両（Ｖ）又はインフラ（Ｉ）とすることができる）などの）特定のサービスを使用することに関心があるユーザ装置が、（ｎ  ＲＳＵなどの）サービスユニットが少なくともこのサービスに関してオフ状態にあり、或いはＤ２Ｄモードにあることなどを検出する。検出は、ビーコン信号の不在、又はサービス要求の確認応答が行われないことなどに基づくことができる。
【００４９】
ステップ５０４において、この検出に基づいて、所与のサービスを提供するアドホックセルとして動作するための構成を行う。
【００５０】
構成は、例えばデバイス能力、ユーザプロファイル、トラフィック負荷の状況及び状態、リソース活用、（速度及び／又は経路などの）ユーザモビリティ、無線環境、場所及びタイムラインなどに基づいて、構成を行うためのコマンドをセルラーネットワークから（例えば、ユーザ装置が接続できるマクロセル又は他の何らかの上位セルから）受け取ることを含むことができる。別の例は、例えば自己組織化ネットワーク（ＳＯＮ）と同様の方法に従ってサービスベースの自己構成として構成を行うことである。サービスベースの自己構成では、予め構成されたポリシ又はルールを用いてアドホックセルを作動／停止させることができる。例えば、デバイスは、アドホックセルの設定基準が満たされると、サービスベースのセル又はアドホックセルの検索を開始し、サービスベースのセルが検出されない場合には、事前構成に基づいてこのようなアドホックセルとして動作するように自機を構成することができる。
【００５１】
対象の（所与の）サービスと並行して通常のセルラーサービスが進行中の場合には、サービスベースのアドホックセルが、デバイスに通常のセルラーサービスを提供することもできる。このようにすると、デバイスは、通常のセルラーサービスのためのオーバーレイセルラーネットワークセルとの接続、及び対象サービスのためのアドホックセルとの接続という二重接続を維持しなくて済む。
【００５２】
ステップ５０６において、この構成に関連して、所与のサービスのためのバックホール接続の構築を引き起こす。
【００５３】
バックホール接続の構築は、セルラー通信を使用することによって、或いはアドホックセルにユーザ装置としてアクセスしてバックホール接続を提供するように（ＲＳＵなどの）サービスユニットに要求することによって行うことができる。
【００５４】
セルラー接続を使用する場合、バックホール接続を提供するデバイスは、アドホックセルとして動作しているデバイスとすることができる。バックホーリングに関与するデバイスのセルラー接続は、オンデマンドで、例えばアドホックセルに関与する少なくとも１つのデバイスがセルラーサービスを要求した場合にのみ有効にすることができる。別の選択肢は、有効な状態にある既存のバックホールリンクを使用することである。
【００５５】
オンデマンドでセルラーリンクを介してバックホールリンクを提供する高速セルラー接続の構築を容易にするために、オーバーレイセルラーネットワークは、無線アクセスネットワーク識別子（例えば、Ｃ−ＲＮＴＩ）を含むアドホックセルコンテキストと、アドホックセルの細分性に関する関連する無線ベアラ（ＲＢ）構成とを維持することができる。また、例えばセルラーネットワークに関するアドホックセル全体のタイミングアドバンス情報をアドホックセル内に維持し、このタイミングアドバンス情報を用いてＲＳＵなどのサービスユニットを構成し、サービスユニットがアドホックセルのカバレッジに含まれている場合には、この情報をアドホックセルに提供することができる（アドホックセルノードとして動作するユーザ装置は移動していることもあると理解されたい）。
【００５６】
アドホックセルにユーザ装置としてアクセスしてバックホール接続を提供するように（ＲＳＵなどの）サービスユニットに要求する選択肢は、ブロードキャストされるシステム情報又はデバイス間通信メッセージに埋め込まれたページングメッセージ内でバックホール接続要求を送信することを含む。この選択肢を使用する場合には、モバイルリレーノードがバックホールリンクとアクセスリンクとの動作の協調を行ってこれらを切り替えるので、アドホックセルノードとして動作するデバイスがこれを行う必要はない。サービスユニットは、アドホックセルにユーザ装置としてアクセスすることができ、アドホックセルのバックホール（例えば、Ｓ１／Ｘ２インターフェイス）は、無線インターフェイス（例えば、ＲＲＣ及びユーザプレーン無線ベアラ）を介して実装することができる。
【００５７】
また、後者の選択肢では、アドホックセルを２つのフェーズ／モードで動作させることができ、１つ目は、接続されたデバイスにバックホーリングの必要なく対象の（所与の）ローカルサービスを提供できるように、アドホックセルにおいて全ての無線動作関連機能が作動するローカルアクセスフェーズ／モードである。このモードでは、サービスユニットが、アドホックセルにＵＥとしてアクセスしてバックホール接続を提供することができ、これによってアドホックセルのフルアクセスフェーズ／モードへの変更を引き起こすことができる。２つ目に、アドホックセルをフルアクセスフェーズ／モードで動作させることもできる。このモードでは、アドホックセルが、対象のローカルサービスを提供するだけでなく、必要に応じて通常のセルラーサービスを提供することもできる。
【００５８】
アドホックセルの異なる動作フェーズ／モードをサポートするために、アドホックセルは、動作モードの指示を提供することができる。また、動作フェーズ／モードの移行は、接続されているユーザ装置のセルラーサービスの必要性、セルラーネットワーク及びサービスユニットエンティティの利用可能性、デバイス能力などに基づいて動的に構成することもできる。
【００５９】
図５Ｂは、サービスベースのアドホックセルを構成して動作させるのに適した実施形態を示すフローチャートである。図５Ｂの例には、道路脇ユニット（ＲＳＵ）などのサービスユニットの動作例を示す。
【００６０】
ステップ５１２において、アドホックセルノードによって提供されるサービスに関して切断状態にある間に、アドホックセルノードからバックホール接続要求を受け取る。切断状態は、少なくとも対象のサービスに関するオフ状態を意味することができ、或いはサービスユニットがデバイス間（Ｄ２Ｄ）モードなどで動作しており、ブロードキャストされるシステム情報又はデバイス間通信メッセージに埋め込まれたページングメッセージ内でバックホール接続要求を受信できることを意味することができる。バックホール接続要求は、ブロードキャストされるシステム情報又はデバイス間通信メッセージに埋め込まれたページングメッセージ内で受け取ることができる。
【００６１】
ステップ５１４において、要求への応答として、アドホックセルにユーザ装置としてアクセスしてアクセス接続を提供する。アクセス接続は、通信に使用できる無線アクセス接続とすることができる。アドホックセルへのユーザ装置としてのアクセスは複数の方法で実行することができ、例えばアドホックセルにアクセス要求（例えば、ＲＲＣ接続要求）を送信すること、及びアドホックセルからアクセス要求応答（例えば、ＲＲＣ接続設定）を受け取ることなどの、通常のランダムアクセス手順又は同様の手順を使用することができる。このアクセスは、サービスユニットがアドホックセルにアクセスする際に、サービスに基づいて認証され認可されるように新たな原因及びアイデンティティを示すことを含むこともでき、この場合の認証及び認可は、例えば複雑度の低い暗号化を使用することなどによって単純に行うことができる。サービスユニットは、アドホックセルと同様の手順を実行することができる。また、アドホックセルを動作させるユーザ装置が移動すると、サービスユニットは、他のサービスユニットがアドホックセルにユーザ装置としてアクセスしてアドホックセルにバックホールを提供できるように、アドホックセルコンテキストを含むユーザ装置コンテキストを別のサービスユニットに受け渡すことができる。
【００６２】
アドホックセルのバックホール接続（例えば、Ｓ１／Ｘ２インターフェイス）は、無線インターフェイスを介したアクセス接続（例えば、ＲＲＣ及びユーザプレーン無線ベアラ）、及びサービスユニットとして動作できるようにサービスユニットに対して構築されたバックホール接続によって提供される。サービスユニットとして動作できるようにサービスユニットに対して構築されるバックホール接続は、セルラーネットワークのコアネットワークへの接続、サービスサーバへのインターネットプロトコル接続、又はサービスサーバへのローカルネットワーク接続のいずれかとすることができる。
【００６３】
オンデマンドでセルラーリンクを介してバックホールリンクを提供する高速セルラー接続の構築を容易にするために、オーバーレイセルラーネットワークは、無線アクセスネットワーク識別子（例えば、Ｃ−ＲＮＴＩ）を含むアドホックセルコンテキストと、アドホックセルの細分性に関する関連する無線ベアラ（ＲＢ）構成とを維持することができる。また、例えばセルラーネットワークに関するアドホックセル全体のタイミングアドバンス情報をアドホックセル内に維持し、このタイミングアドバンス情報を用いてＲＳＵなどのサービスユニットを構成し、サービスユニットがアドホックセルのカバレッジに含まれている場合には、この情報をアドホックセルに提供することができる（アドホックセルノードとして動作するユーザ装置は移動することもあると理解されたい）。
【００６４】
図６は、サービスベースのアドホックセルを構成して動作させる例を示すシグナリングチャートである。
【００６５】
この例では、Ｄ＿ｃｅｌｌ６００として示すユーザ装置を、上位のセルラーネットワークと同じ技術を使用するサービスベースのアドホックセルを動作させるように構成することができると仮定する。ユーザ装置６００は、所与のサービスを要求するアプリケーションを開始する（６０２）ように構成することができる。付近には、同じ対象サービスに関心がある（６０６）（図６にＤ＿ＵＥ６０４として示す）他のユーザ装置が存在することもある。
【００６６】
アドホックセルのセル固有のパラメータは、セルラーネットワークの利用可能な又はさらに開発される自己組織化ネットワーク（ＳＯＮ）機能によって構成することができる。アドホックセルの設定及び構成は、上位のセルラーネットワークの制御下に置くことができ、或いは少なくとも上位のセルラーネットワークが、自己構成されたアドホックセルの構築についてのポリシ、ルール及び予め定められた基本構成を提供（６０８）することもできる。また、上位のセルラーネットワークは、アドホックセルの発見を容易にするように、所与のサービスに対するアドホックセルの利用可能性（例えば、アドホックセルのスペクトル／担体、発見／基準信号）を示すこともできる。
【００６７】
サービスベースのアドホックセルの設定は、所与のサービスを提供する明らかな利点をアドホックセルから達成できる状況で引き起こすことができる（６１０）。例えば、所与のサービスに関心がある複数のデバイスが同時に存在して共に道路沿いを移動していることがある。別の例として、所与のサービスを容易にするＲＳＵが、エネルギーを節約するためにオフ状態であり、アドホックセルの設定が、共に移動中の道路上のできるだけ多くの要求されたデバイスにサービスを提供することもできる。
【００６８】
ユーザ装置Ｄ＿ｃｅｌｌ６００は、セルの設定後にアドホックセルノードとして動作（６１２）するように構成することができる。所与のサービスに必要な全ての通信（すなわち、シグナリング及びデータ送受信）は、アドホックセルによって上位セルラーネットワークアクセスと同様に制御することができる。Ｄ＿ｃｅｌｌは、サポートされているサービス及びアドホックセルの動作モードなどのシステム情報を送信することができる（６１４）。すなわち、他のユーザ装置又はユーザデバイスがアドホックセルを発見し、通常のセルラーネットワークセルとしてアクセスすることもできる。アドホックセルのサービスベースのアクセス制御は、異なる選択肢及びあらゆる組み合わせを用いて実装することができる。
【００６９】
ある実施形態では、（Ｖ２Ｖ／Ｖ２Ｉサービスなどの）対象のサービスに専用のスペクトル帯が割り当てられている場合、サービスベースのアクセス制御をスペクトルレベルで導入することができる。デバイスは、所与のサービスにアクセスしてネットワーク認証及び認可が行われた時に、アプリケーション層から又はセルラーネットワークを介して、特定のスペクトルのために構成することができる。
【００７０】
ある実施形態では、サービスベースのアクセス制御を、アドホックセルのブロードキャストシグナリング（例えば、ブロードキャストされる無線アクセスネットワークのシステム情報）にサービス指示を導入することによって達成することができる。この選択肢では、ブロードキャストシグナリングにサポートするサービス関連情報を導入する必要がある。
【００７１】
ある実施形態では、サービスベースのアクセス制御を、セルアクセス情報を所与のサービス固有の暗号鍵で暗号化することによって達成することもできる。デバイスは、アプリケーション層から又はセルラーネットワークを介して、セルアクセス情報を暗号鍵によって暗号化／復号するように構成することができる。
【００７２】
アドホックセルには、アドホックセルのカバレッジ内に存在していて同じサービスを必要とする他のユーザ装置６０４がアクセスすることができる（６１６）。
【００７３】
上述したように、アドホックセルにバックホールリンクを提供する方法は複数存在する。ある実施形態では、アドホックセルのバックホールリンクが、この例ではＤ＿ｃｅｌｌ６００、Ｄ：ＵＥ６０４の一方又は両方である、アドホックセルに関与する１又は２以上のユーザ装置デバイスのセルラー接続６１８によって提供される。ある実施形態では、バックホーリングのための関与するデバイスのセルラー接続６１８をオンデマンドで有効にすることができる。ユーザ装置にサービスを提供するｅＮｏｄｅＢ６２０は、バックホール接続をコアネットワーク６２４に接続する（６２２）。
【００７４】
別の実施形態では、アドホックセルのバックホールリンク６２６が、アドホックセルにＵＥとしてアクセスしてバックホールを提供するＲＳＵ６２８によって提供される。ＲＳＵは、例えばＩＰを介してバックホール接続をコアネットワークに接続することができる（６３０）。
【００７５】
図７は、アドホックセルにアクセスしてバックホール接続を提供するＲＳＵ６２８の例を示すシグナリングチャートである。この例では、ユーザ装置Ｄ＿ｃｅｌｌ６００が、アドホックセルのアドホックセルノードとして動作（７００）するように構成される。Ｄ＿ｃｅｌｌは、サポートされているサービス及びアドホックセルの動作モードなどのシステム情報を送信することができる（６１４）。所与のサービスに必要な全ての通信（すなわち、シグナリング及びデータ送受信）は、アドホックセルによって上位セルラーネットワークアクセスと同様に制御することができる。
【００７６】
ＲＳＵ６２８は、ブロードキャストされるシステム情報に基づいて、アドホックセルを通常のＵＥとして検出するように構成することができる。
【００７７】
ユーザ装置Ｄ＿ｃｅｌｌ６００は、ＲＳＵがアドホックセルのためのバックホール接続をユーザ装置として形成する要求７０４を送信するように構成することができる。
【００７８】
ある実施形態では、この要求を、ブロードキャストされるシステム情報に実装することができる。ＲＳＵ６２８は、バックホール接続が必要である旨の指示を含むシステム情報を検出すると、アドホックセルに通常のＵＥとしてアクセスして無線を介してバックホール接続を提供することができる。
【００７９】
ある実施形態では、この要求を、ＲＳＵ６２８へのページングメッセージとして実装することができる。この実施形態では、同じページングオケージョン（ｐａｇｉｎｇ  ｏｃｃａｓｉｏｎ）を用いて全てのＲＳＵを構成することができ、ページングメッセージは、アドホックセルのカバレッジ内の全てのＲＳＵを対象とする。
【００８０】
ある実施形態では、この要求を、Ｄ＿ｃｅｌｌとＲＳＵとの間のデバイス間メッセージとして実装することができる。
【００８１】
要求への応答として、ＲＳＵを、アドホックセルにユーザ装置としてアクセスする（７０６）ように構成することができる。
【００８２】
ＲＳＵは、バックホール接続を提供できるようにアドホックセルへの無線接続７０８を形成し、例えばＩＰを介してバックホール接続をコアネットワークに接続する（７１０）。ＲＳＵは、セルラーネットワークへの独自の既存のバックホール接続を使用するように構成することができる。
【００８３】
上記及び添付図において説明したステップ及び関連する機能の時間順は絶対的なものではなく、ステップのいくつかを同時に実行することも、又は所与の順序とは異なる順序で実行することもできる。ステップ間又はステップ内で他の機能を実行することもできる。ステップのいくつかを省略することも、或いは対応するステップに置き換えることもできる。
【００８４】
上述の実施形態を実行できる装置又はコントローラは、ワーキングメモリ（ＲＡＭ）、中央処理装置（ＣＰＵ）及びシステムクロックを含むことができる電子デジタルコンピュータ又は回路として実装することができる。ＣＰＵは、一連のレジスタ、算術論理演算ユニット、及びコントローラを含むことができる。コントローラ又は回路は、ＲＡＭからＣＰＵに転送される一連のプログラム命令によって制御される。コントローラは、基本動作のための多くのマイクロ命令を含むことができる。マイクロ命令の実装は、ＣＰＵ設計に応じて異なることができる。電子デジタルコンピュータは、プログラム命令を用いて記述されたコンピュータプログラムにシステムサービスを提供できるオペレーティングシステムを有することもできる。
【００８５】
本出願において使用する「回路」という用語は、（ａ）アナログ回路及び／又はデジタル回路のみにおける実装などのハードウェアのみの回路実装、（ｂ）（適用可能な場合には）（ｉ）プロセッサ同士の組み合わせ、又は（ｉｉ）装置に様々な機能を実行させるように協働する（単複の）デジタルシグナルプロセッサ、ソフトウェア及び（単複の）メモリを含む（単複の）プロセッサ／ソフトウェアの１又は２以上の部分などの、回路とソフトウェア（及び／又はファームウェア）との組み合わせ、及び（ｃ）たとえソフトウェア又はファームウェアが物理的に存在しない場合でも動作のためにソフトウェア又はファームウェアを必要とする、（単複の）マイクロプロセッサ又は（単複の）マイクロプロセッサの一部などの回路、の全てを意味する。
【００８６】
この「回路」の定義は、本出願におけるこの用語の全ての使用に当てはまる。さらなる例として、本出願において使用する「回路」という用語は、プロセッサ（又は複数のプロセッサ）又はプロセッサの一部と、その（又はそれらの）付属ソフトウェア及び／又はファームウェアとの実装も対象とする。また、「回路」という用語は、例えば、特定の要素に適用できる場合には、携帯電話機のベースバンド集積回路又はアプリケーションプロセッサ集積回路、或いはサーバ、セルラーネットワーク装置又はその他のネットワーク装置内の同様の集積回路も対象とする。
【００８７】
ある実施形態は、電子装置内にロードされた時に、上述した実施形態を実行するように装置を制御するよう構成されたプログラム命令を含む、配布媒体上に具体化されるコンピュータプログラムを提供する。
【００８８】
コンピュータプログラムは、ソースコード形式、オブジェクトコード形式、又は何らかの中間形式とすることができ、プログラムを搬送できるいずれのエンティティ又は装置であってもよい何らかの種類の担体に記憶することができる。このような担体としては、例えば、記録媒体、コンピュータメモリ、リードオンリメモリ及びソフトウェア配布パッケージが挙げられる。媒体は、非一時的媒体とすることができる。コンピュータプログラムは、必要な処理能力に応じて、単一の電子デジタルコンピュータで実行することも、或いは多くのコンピュータ間に分散させることもできる。プログラムは、プログラム製品又はコンピュータプログラムとも呼ばれ、ソフトウェアルーチン、アプレット及びマクロを含み、あらゆる装置可読データ記憶媒体に記憶することができ、特定のタスクを実行するためのプログラム命令を含む。データ記憶媒体は、非一時的媒体とすることができる。コンピュータプログラム又はコンピュータプログラム製品は、装置にロードすることもできる。コンピュータプログラム製品は、例えば場合によっては内部又は外部メモリを利用する１又は２以上のプロセッサによってプログラムが実行された時に、上述した実施形態のいずれか又はこれらの組み合わせを実行するように構成された１又は２以上のコンピュータ実施可能コンポーネントを含むことができる。１又は２以上のコンピュータ実行可能コンポーネントは、少なくとも１つのソフトウェアコード又はその一部とすることができる。コンピュータプログラムは、プログラミング言語又は低水準プログラミング言語によって符号化することができる。
【００８９】
装置は、特定用途向け集積回路ＡＳＩＣなどの１又は２以上の集積回路として実装することもできる。別個の論理要素で構築された回路などの他のハードウェアの実施形態も実現可能である。これらの異なる実装の混成も実現可能である。当業者であれば、実装方法を選択する際に、例えば装置のサイズ及び消費電力、必要な処理能力、製造コスト、及び製造量について設定された要件を考慮するであろう。
【００９０】
当業者には、技術が進歩するにつれ、本発明の概念を様々な方法で実装できることが明らかになるであろう。本発明及びその実施形態は、上述の例に限定されるものではなく、特許請求の範囲内で変更することができる。
【符号の説明】
【００９１】
５０２  所与のサービスを提供するセルの不在を検出
５０４  所与のサービスを提供するアドホックセルとして動作するための構成を実行
５０６  所与のサービスのためのバックホール接続の構築を引き起こす
【図１】
2018515030.tif 000003
【図２】
2018515030.tif 000004
【図３】
2018515030.tif 000005
【図４】
2018515030.tif 000006
【図５Ａ】
2018515030.tif 000007
【図５Ｂ】
2018515030.tif 000008
【図６】
2018515030.tif 000009
【図７】
2018515030.tif 000010
【国際調査報告】
2018515030.tif 000011
2018515030.tif 000012
2018515030.tif 000013
2018515030.tif 000014
2018515030.tif 000015